(57)【要約】      （修正有）【課題】停電が生じても少なくとも１波の地上デジタルテレビジョン放送信号を低コストで再送信する。【解決手段】商用交流電源１４で動作しているヘッドアンプ２が複数波の地上デジタルテレビジョン放送信号を第１の光信号に変換し送信機８に伝送。送信機８は複数波の地上デジタルテレビジョン放送信号に復元し送信アンテナ１０から再送信。商用交流電源１４で動作しているヘッドアンプ２０が少なくとも１波の地上デジタルテレビジョン放送信号を第２の光信号に変換し送信機２４に伝送。送信機２４は少なくとも１波の地上デジタルテレビジョン放送信号に復元し送信アンテナ２６から再送信。ヘッドアンプ２０は直流電源１２にて、送信機２４は直流電源１６にて、動作電力が供給され、直流電源１２、１６はバッテリーを備え、バッテリーは商用交流電源１４が停電したときヘッドアンプ２０に、商用交流電源１８が停電したとき送信機２４に動作電力を供給。【選択図】図１
2014107579.tif 000002
【特許請求の範囲】
【請求項１】
複数波の地上デジタルテレビジョン放送信号を処理した第１の信号を、伝送路に供給する第１の処理装置と、
前記伝送路を介して伝送された前記第１の信号を受けて、前記第１の信号を処理して前記複数波の地上デジタルテレビジョン放送信号として第１の送信アンテナに供給する第１の送信装置と、
少なくとも１波の地上デジタルテレビジョン放送信号を処理した第２の信号を、前記伝送路に供給する第２の処理装置と、
前記伝送路を介して伝送された前記第２の信号を受けて、受けた前記第２の信号を処理して前記少なくとも１波の地上デジタルテレビジョン放送信号として第２の送信アンテナに供給する第２の送信装置とを、具備し、
前記第２の処理装置は、第１の電源装置によって動作電力が供給され、前記第１の電源装置には、第１の蓄電手段が設けられ、この第１の蓄電手段は、前記第１の電源装置によって蓄電されており、前記第１の電源装置が停止したとき、第２の処理装置に動作電力を供給し、
前記第２の送信装置は、第２の電源装置によって動作電力が供給され、前記第２の電源装置には、第２の蓄電手段が設けられ、この第２の蓄電手段は、前記第２の電源装置によって蓄電されており、前記第２の電源装置が停止したとき、第２の送信装置に動作電力を供給し、
第１及び第２の電源装置は、互いに異なる商用交流電源に接続され、前記第１の処理装置は、第１の電源装置が接続されている前記商用交流電源に基づいて動作し、前記第１の送信装置は、第２の電源装置が接続されている前記商用交流電源に基づいて動作する
再送信システム。
【請求項２】
請求項１記載の再送信システムにおいて、前記第２の送信装置は、前記第２の電源装置から動作電力の供給を受けているとき、第２の送信アンテナへの復元した前記少なくとも１波の地上デジタルテレビジョン放送信号の出力を停止し、前記第１の送信装置は、第１の電源装置が停止したとき、前記伝送路を介して前記第２の送信装置の出力停止解除信号を前記第２の送信装置に伝送し、前記第２の送信装置は、前記出力停止解除信号を受けたとき、または第２の電源装置が停止したとき、前記出力停止を解除する再送信システム。
【請求項３】
請求項２記載の再送信システムにおいて、前記第１の処理装置は、前記複数波の地上デジタルテレビジョン放送信号の処理として、前記複数波の地上デジタルテレビジョン放送信号を第１の光信号に変換し、前記伝送路は、前記第１の光信号を伝送可能な光ファイバーであり、前記第１の送信装置は前記第１の光信号を元の前記複数波の地上デジタルテレビジョン放送信号に復元し、前記第２の処理装置は、前記少なくとも１波の地上デジタルテレビジョンテレビジョン放送信号の処理として、前記少なくとも１波の地上デジタルテレビジョン放送信号を第２の光信号に変換して前記光ファイバーに供給し、前記第２の送信装置は前記第２の光信号を元の前記少なくとも１波の地上デジタルテレビジョン放送信号に復元する再送信システム。
【発明の詳細な説明】
【技術分野】
【０００１】
本発明は、地上デジタルテレビジョン放送信号の再送信システムに関し、特に、再送信する地上デジタルテレビジョン放送信号を追加するものに関する。
【背景技術】
【０００２】
再送信システムとしては、例えば特許文献１に開示されているようなものがある。特許文献１の技術によれば、受信装置は、受信した複数の地上デジタルテレビジョン放送信号を増幅する処理ユニットを有し、この処理ユニットからの複数の地上デジタルテレビジョン放送信号は、光送信機で光信号に変換され、光ファイバーを介して２台の送信装置のうち１台の送信装置に伝送される。２台のうち１台の送信装置は、受信した光信号を元の複数の地上デジタルテレビジョン放送信号に変換して再送信する。受信装置は、或る１波のチャンネルの処理ユニットも有し、この処理ユニットは、停電時に動作して、或る１波の地上デジタルテレビジョン放送信号を増幅し、上記の光送信機（この光送信機は停電時でも動作するように構成されている）によって光信号に変換され、光ファイバーに供給される。２台の送信装置のうち、もう１台の送信装置である１波のチャンネル用の送信装置は停電時でも動作するように構成されており、光ファイバーを介して伝送された光信号を特定の１波の地上デジタルテレビジョン放送信号に変換し、送信アンテナから送信する。
【先行技術文献】
【特許文献】
【０００３】
【特許文献１】特開２０１０−２８７９９２号公報
【発明の概要】
【発明が解決しようとする課題】
【０００４】
特許文献１の技術によれば、停電時でも或る１波の地上デジタルテレビジョン放送信号の再送信を行うことができる。ところで停電時でも或る１波の地上デジタルテレビジョン放送信号の再送信を行えるように構成されていない通常の受信装置と１台の通常の送信装置しか備えていない既存の再送信システムにおいて、或る１波の地上デジタルテレビジョン放送信号の再送信を行えるようにするためには、１つの手法として、光ファイバーが多芯であることを前提として、通常の受信装置側に、停電時に動作する或る１波の地上デジタルテレビジョン放送信号の追加受信装置を追加し、その追加受信装置からの光信号を、多芯の光ファイバー中の前記通常の受信装置からの光信号を伝送しているファイバーとは異なる光ファイバーで伝送し、停電時でも動作する、或る１波の地上デジタルテレビジョン放送信号用の追加送信装置を通常の送信装置側に追加して、追加送信装置には前記異なる光ファイバーで伝送された光信号を供給することが考えられる。
【０００５】
しかし、この手法では、追加受信装置に無停電電源装置を設置して、これが停電時にも動作するように構成し、かつ追加送信装置にも、無停電電源装置を設置し、この追加送信装置も停電時に動作するようにする必要がある。無停電電源装置を設置することは、高コストに繋がり、特に複数台の設置であれば、更に高コストとなる。無停電電源装置は商用交流電源に接続されて動作するが、受信装置と送信装置とは比較的離れた場所に設置されており、同一の商用交流電源に各無停電電源装置を接続することは困難を伴い、通常、上記の各無停電電源装置は、それぞれ異なる商用交流電源、例えば配電系統の異なる商用交流電源に接続される。この場合、例えば受信装置の設置場所の電源系統で停電は生じていないが、送信装置の設置場所の電源系統では停電が生じていることがある。また、逆の場合もある。その場合、追加送信装置から良好に或る１波の地上デジタルテレビジョン放送信号を送信することができない。
【０００６】
本発明は、停電が局部的に生じていても、良好に或る１波の地上デジタルテレビジョン放送信号を送信することができ、しかも低コストである再送信システムを提供することを目的とする。
【課題を解決するための手段】
【０００７】
本発明の一態様の再送信システムは、第１の処理装置を有している。第１の処理装置は、複数波の地上デジタルテレビジョン放送信号を処理した第１の信号を、伝送路に供給する。第１の処理装置での処理としては、例えば伝送路が光ファイバーの場合、光信号への変換があり、伝送路が例えば同軸ケーブルであれば、同軸ケーブルでの減衰を補償する増幅がある。前記伝送路を介して伝送された前記第１の信号を第１の送信装置が受ける。第１の送信装置は、前記第１の信号を処理して前記複数波の地上デジタルテレビジョン放送信号として第１の送信アンテナに供給する。第１の送信装置の処理としては、第１の信号が光信号の場合、複数波の地上デジタルテレビジョン放送信号への変換があり、第１の信号が複数波の地上デジタルテレビジョン放送信号の場合、それらの増幅がある。少なくとも１波の地上デジタルテレビジョン放送信号を処理した第２の信号を、第２の処理装置が前記伝送路に供給する。第２の処理装置の処理としては、第１の処理装置の処理と同様に、伝送路が光ファイバーの場合、光信号への変換があり、伝送路が同軸ケーブルの場合、増幅がある。前記伝送路を介して伝送された前記第２の信号を第２の送信装置が受ける。第２の送信装置は、前記第２の信号を処理して、前記少なくとも１波の地上デジタルテレビジョン放送信号として第２の送信アンテナに供給する。第２の送信装置での処理としては、第１の送信装置と同様に、第２の信号が光信号の場合、複数波の地上デジタルテレビジョン放送信号への変換があり、第２の信号が少なくとも１波の地上デジタルテレビジョン放送信号の場合、その増幅がある。前記第２の処理装置には、第１の電源装置によって動作電力が供給される。前記第１の電源装置には、第１の蓄電手段が設けられている。第１の蓄電手段は、前記第１の電源装置によって蓄電されており、前記第１の電源装置が停止したとき、第２の処理装置に動作電力を供給する。前記第２の送信装置には、第２の電源装置によって動作電力が供給される。前記第２の電源装置には、第２の蓄電手段が設けられている。第２の蓄電手段は、前記第２の電源装置によって蓄電されており、前記第２の電源装置が停止したとき、第２の送信装置に動作電力を供給する。第１及び第２の電源装置は、互いに異なる商用交流電源に接続されている。前記第１の処理装置は、第１の電源装置が接続されている前記商用交流電源に基づいて動作し、前記第１の送信装置は、第２の電源装置が接続されている前記商用交流電源に基づいて動作する。
【０００８】
この再送信システムでは、第１の処理装置及び第２の処理装置は、第１の電源装置が接続されている商用交流電源が停電等によって動作停止しない限り、動作し、第１の送信装置及び第２の送信装置も、第２の電源装置が接続されている商用交流電源が停電等によって動作停止しない限り、動作する。しかも、第１の電源装置は、第１の蓄電手段を蓄電しており、第２の電源装置は、第２の蓄電手段を蓄電している。従って、例えば第２の電源装置が動作停止すると、第１の送信装置は動作を停止し、第１の信号に基づく複数波の地上デジタルテレビジョン放送信号の第１のアンテナからの送信が停止されるが、第２の蓄電手段によって第２の送信装置が動作を継続し、第２の処理装置から第２の送信装置に供給されている第２の信号に基づいて少なくとも１波の地上デジタルテレビジョン放送信号が第２のアンテナから送信される。同様に、例えば第１の電源装置が動作停止すると、第１の処理装置が停止し、第１の信号の伝送路への供給が停止されるが、第１の蓄電手段によって第２の処理装置が動作を継続し、第２の信号が第２の処理装置から第２の送信装置へ供給され、第２の信号に基づく少なくとも１波の地上デジタルテレビジョン放送信号が第２の送信アンテナから送信される。第１及び第２の電源装置が同時に動作を停止した場合にも、同様に第２の処理装置及び第２の送信装置が第１及び第２の蓄電手段によって動作を継続し、第２の処理装置から第２の送信装置へ第２の信号の伝送が行われ、第２の信号に基づく少なくとも１波の地上デジタルテレビジョン放送信号が第２の送信アンテナから送信される。従って、第１及び第２の処理装置に動作電力を供給している商用交流電源と、第１及び第２の送信装置に動作電力を供給している商用交流電源のいずれか一方のみが停電した場合でも、少なくとも１波の地上デジタルテレビジョン放送信号の第２のアンテナからの送信を継続できる。しかも、このために使用しているのは無停電電源装置ではなく、第１及び第２の蓄電手段であるので、低コストとすることができる。
【０００９】
前記第２の送信装置は、前記第２の電源装置から動作電力の供給を受けているとき、第２の送信アンテナへの復元した前記少なくとも１波の地上デジタルテレビジョン放送信号の出力を停止することができる。この場合、前記第１の送信装置は、第１の電源装置が停止したとき、前記伝送路を介して前記第２の送信装置の出力停止解除信号を前記第２の送信装置に伝送し、前記第２の送信装置は、前記出力停止解除信号を受けたとき、または第２の電源装置が停止したとき、前記出力停止を解除する。
【００１０】
このように構成すると、第１及び第２の電源装置のいずれか一方または両方が動作停止したときのみ、第２の送信装置は出力停止を解除するので、少なくとも１波の地上デジタルテレビジョン放送信号が第２のアンテナから送信され、それ以外の場合には、第２の送信装置から少なくとも１波の地上デジタルテレビジョン放送信号は送信されない。
【発明の効果】
【００１１】
以上のように、本発明によれば、第１及び第２の処理装置側の商用交流電源が停電しても、第１及び第２の送信装置側の商用交流電源のみが動作停止しても、或いは両商用交流電源が停電しても、少なくとも１波の地上デジタルテレビジョン放送信号を送信することができ、しかも、このような制御を行うために、無停電電源装置を使用せずに、第１及び第２の蓄電手段を使用しているので、低コストである。
【図面の簡単な説明】
【００１２】
【図１】本発明の一実施形態の再送信システムのブロック図である。
【図２】図１の再送信システムの直流電源１２のブロック図である。
【図３】図１の再送信システムの直流電源１６のブロック図である。
【発明を実施するための形態】
【００１３】
本発明の一実施形態の再送信システムは、図１に示すように、第１の処理装置、例えばヘッドアンプ２を有している。ヘッドアンプ２には受信アンテナ４が設置されており、この受信アンテナ４によって複数波の地上デジタルテレビジョン放送信号を受信可能な位置にヘッドアンプ２が配置されている。受信アンテナ４で受信した複数波の地上デジタルテレビジョン放送信号は、ヘッドアンプ２によって処理され、例えば第１の光信号に変換される。第１の光信号は、伝送路、例えば多芯光ファイバーケーブル６中の１つの光ファイバー６ａに供給され、光ファイバー６ａを伝送される。ヘッドアンプ２の構成は、公知であるので詳細な説明は省略する。
【００１４】
光ファイバー６ａを伝送された第１の光信号は、第１の送信装置、例えば送信機８に供給される。送信機８は、第１の光信号を元の複数波の地上デジタルテレビジョン放送信号に変換して、この複数波の地上デジタルテレビジョン放送信号を第１の送信アンテナ、例えば送信アンテナ１０から再送信エリアに再送信する。再送信エリアは、例えば受信用アンテナを設置しても、この受信用アンテナによって地上デジタルテレビジョン放送信号を受信不能なエリアであって、送信機８はこの再送信エリアに送信アンテナ１０から再送信可能に、ヘッドアンプ２から離れた場所に配置されている。
【００１５】
これらヘッドアンプ２、多芯光ファイバーケーブル６、送信機８によって、複数波の地上デジタルテレビジョン放送信号を再送信する再送信システムが構成されている。
【００１６】
ヘッドアンプ２には、その近傍に位置する商用交流電源１４から交流電力が供給されている。この交流電力がヘッドアンプ２内で直流電力に変換され、ヘッドアンプ２を動作させている。同様に送信機８には、その近傍に位置する商用交流電源１８から交流電力が供給されている。この交流電力が送信機８内で直流電力に変換され、送信機８を動作させている。商用交流電源１４、１８はそれぞれ異なったものであり、例えば別の配電系統に属するものである。
【００１７】
ヘッドアンプ２の設置場所の近傍には、第２の処理装置、例えばヘッドアンプ２０が設けられている。ヘッドアンプ２０は、複数波の地上デジタルテレビジョン放送信号のうち少なくとも１波を、ヘッドアンプ２０に付属する受信アンテナ２２によって受信し、これを第２の光信号に変換するものである。ヘッドアンプ２０からの第２の光信号は、光ファイバーケーブル６の光ファイバー６ｂに供給され、この光ファイバー６ｂを伝送される。光ファイバー６ｂは、光ファイバーケーブル６中の多数の光ファイバーのうち、光ファイバー６ａとは異なるものである。
【００１８】
光ファイバー６ｂを伝送された第２の光信号は、送信機８の近傍に配置された第２の送信装置、例えば送信機２４に供給されて、少なくとも１波の地上デジタルテレビジョン放送信号に復元されて、第２の送信アンテナ、例えば送信アンテナ２６から、例えば再送信エリアに向けて再送信される。多芯光ファイバーケーブル６の未使用の光ファイバー６ｂを使用して第２の光信号を伝送するようにすれば、ヘッドアンプ２や送信機８が既に設置されている状態において、ヘッドアンプ２０や送信機２４を追加した場合でも、新たに光ファイバーケーブルを敷設する必要が無い。
【００１９】
ヘッドアンプ２０は、第１の電源装置、例えば直流電源１２を内蔵している。これは商用交流電源１４から交流電力の供給を受けて、直流電力に変換して、ヘッドアンプ２０を動作させている。同様に、送信機２４も、第２の電源装置、例えば直流電源１６を内蔵し、商用交流電源１８から交流電力の供給を受けて,直流電力に変換して、送信機２４を動作させている。
【００２０】
例えば災害等が発生して商用交流電源１４や１８が交流電力をヘッドアンプ２や送信機８に供給できないとき、ヘッドアンプ２や送信機８は、複数波の地上デジタルテレビジョン放送信号を再送信することができない。そこで、ヘッドアンプ２０、送信機２４を停電時でも動作させることができれば、少なくとも１波の地上デジタルテレビジョン放送信号の再送信はできる。そのため、例えばヘッドアンプ２０と送信機２４との直流電源１２、１６を無停電電源装置を備えたものとすることも考えられる。しかし、無停電電源装置は比較的コストが高い。特に、ヘッドアンプ２０、送信機２４は、既に再送信システムとしてヘッドアンプ２や送信機８が設置されている状況下で、追加される場合が多い。そのような場合、高コストの無停電電源装置までも設置する必要があると、ヘッドアンプ２０や送信機２４を追加して少なくとも１波の地上デジタルテレビジョン放送信号を再送信可能にすることの普及が進みにくい。
【００２１】
そこで、直流電源１２や１６に蓄電手段、例えば充電可能なバッテリーを設置しておいて、商用交流電源１４や１８の停電により直流電源１２や１６が動作電力を供給不能となったとき、バッテリーによってヘッドアンプ２０や送信機２４に動作電力を供給して、少なくとも１波の地上デジタルテレビジョン放送信号を再送信することも考えられる。しかし、ヘッドアンプ２と送信機８とが離れた位置に設置されている関係上、直流電源１２に交流電力を供給する商用交流電源１４と、直流電源１６に交流電力を供給する商用交流電源１８とが、異なる配電系統となった場合、両商用交流電源１４、１８が同時に停電とならず、商用交流電源１４のみが停電となったり、逆に商用交流電源１８のみが停電となったりすることが考えられる。このような場合、上述したヘッドアンプ２０と送信機２４とが光ファイバー６ｂによって接続されている構成では、ヘッドアンプ２０のみが動作したり、送信機２４のみが動作したりする結果、少なくとも１波の地上デジタルテレビジョン放送信号を再送信することが不能となる。
【００２２】
そこで、図２に示すように直流電源１２では、商用交流電源１４からの交流電力を直流電力に変換する交流―直流変換部３８と、蓄電手段、例えば充電バッテリー４０とが設けられている。さらに、充電バッテリー４０の充電状態を検出制御手段、例えばＣＰＵ４２が監視し、充電バッテリー４０の充電状態に応じて、交流―直流変換部３８からの充電のオン、オフ制御を行っている。そして、ＣＰＵ４２は、交流―直流変換部３８の入力側及び出力側を監視し、入力側に商用交流電源１４から電力が供給されている状態では、切換手段、例えば切換スイッチ４４を介して交流―直流変換部３８が出力した直流電力をヘッドアンプ２０に供給して、ヘッドアンプ２０を動作させている。そして、ＣＰＵ４２が交流―直流変換部３８の一次側に交流電力が供給されて無く、かつ出力側の直流電力が無くなったことを、検出したとき、切換スイッチ４４を介してバッテリー４０の充電電力をヘッドアンプ２０に供給する。これによって、ヘッドアンプ２０は、非停電時も停電時も動作を継続する。
【００２３】
同様に、図３に示すように直流電源１６でも、商用交流電源１８からの交流電力を直流電力に変換する交流―直流変換部４６と蓄電手段、例えば充電バッテリー４８とが設けられ、さらに、充電バッテリー４８の充電状態を検出制御手段、例えばＣＰＵ５０が監視し、充電バッテリー４８の充電状態に応じて、交流―直流変換部４６からの充電のオン、オフ制御を行っている。そして、ＣＰＵ５０は、交流―直流変換部４６の入力側及び出力側を監視し、入力側に商用交流電源１８から電力が供給されている状態では、切換手段、例えば切換スイッチ５２を介して交流―直流変換部４６が出力した直流電力を送信機２４に供給して、送信機２４を動作させている。そして、ＣＰＵ５０が交流―直流変換部４６の一次側に交流電力が供給されて無く、かつ出力側の直流電力が無くなったことを、検出したとき、切換スイッチ５２を介してバッテリー４８の充電電力を送信機２４に供給する。これによって、送信機２４は、非停電時も停電時も動作を継続する。
【００２４】
このように構成しているので、ヘッドアンプ２０、送信機２４は、商用交流電源１４、１８のいずれかが停電した場合でも、両方が停電した場合でも、常時動作している。従って、商用交流電源１４が停電して、ヘッドアンプ２が動作していないが、商用交流電源１８は停電せず、送信機８、２４が動作している状態において、ヘッドアンプ２からの第１の光信号が送信機８に供給されないが、送信機２４には第２の光信号がヘッドアンプ２０から供給されているので、少なくとも１波の地上デジタルテレビジョン放送信号が送信機２４から再送信される。
【００２５】
逆に、商用交流電源１４が停電せず、ヘッドアンプ２、２０が動作し、ヘッドアンプ２から第１の光信号が送信機８に伝送され、ヘッドアンプ２０から送信機２４に第２の光信号が伝送されているが、商用交流電源１８が停電して、送信機８が動作していない状態において、ヘッドアンプ２からの第１の光信号を送信機８が複数波の地上デジタルテレビジョン放送信号に変換して送信しないが、送信機２４は第２の光信号を少なくとも１波の地上デジタルテレビジョン放送信号に変換して、再送信する。
【００２６】
両商用交流電源１４、１８が共に停電している状態で、ヘッドアンプ２、送信機８が動作していなくても、ヘッドアンプ２０、送信機２４は動作しているので、ヘッドアンプ２０から第２の光信号が送信機２４に供給され、送信機２４は少なくとも１波の地上デジタルテレビジョン放送信号を再送信する。
【００２７】
但し、この構成のままでは、商用交流電源１４、１８が停電せずに動作電力を直流電源１２、１６に供給している状態では、送信機８、２４から同時に少なくとも１波の地上デジタルテレビジョン放送信号が再送信エリアに再送信され、互いに緩衝して、正常に少なくとも１波の地上デジタルテレビジョン放送信号を視聴できない可能性がある。
【００２８】
そこで、送信機２４では、通常時には、その出力部５４が動作停止されており、少なくとも１波の地上デジタルテレビジョン放送信号は再送信されていない。直流電源１２では、交流―直流変換部３８が動作電力の供給を停止したことをＣＰＵ４２が検出したとき、その検出信号がヘッドアンプ２０に供給され、ヘッドアンプ２０は、送信機２４の出力部５４に対する動作停止解除信号を発生し、これを光信号に変換して、光ファイバー６ｂを介して送信機２４に伝送する。送信機２４では、この光信号を動作停止解除指令信号に復元する。復元された動作停止解除信号をＣＰＵ５０が検出すると、出力部５４に対して動作停止解除信号を供給する。この供給に応じて出力部５４が動作し、少なくとも１波の地上デジタルテレビジョン放送信号が再送信される。また、ＣＰＵ５０が交流―直流変換部４６に入力が無く、交流―直流変換部４６の出力側の直流電力が無くなったことを検出したとき、その検出信号が、出力部５４に対して動作停止解除信号として供給される。この供給に応じて出力部５４が動作し、少なくとも１波の地上デジタルテレビジョン放送信号が再送信される。
【００２９】
上記の実施形態では、ヘッドアンプ２と送信機８との間は、光ファイバー６ａで第１の光信号を伝送し、ヘッドアンプ２０と送信機２４との間は光ファイバー６ｂで第２の光信号を伝送したが、光ファイバー６ａ、６ｂに代えて例えば同軸ケーブルを使用して、ヘッドアンプ２から送信機８に複数波の地上デジタルテレビジョン放送信号を伝送し、ヘッドアンプ２０から送信機２４へ少なくとも１波の地上デジタルテレビジョン放送信号を伝送することもできる。その場合、ヘッドアンプ２、２０、送信機８、２４での処理としては、増幅が行われる。また、ヘッドアンプ２と送信機８との光ファイバー６ａに第１の中間処理手段、例えば第１の光増幅器を介在させ、ヘッドアンプ２０と送信機２４との間の光ファイバー６ｂに第２の中間処理手段、例えば第２の光増幅器を介在させることもできる。その場合、第１及び第２の光増幅器には、第３の電源装置によって動作電力を供給する。第３の電源装置は、第１及び第２の光増幅器が、商用交流電源１４、１８が正常時も停電時も動作するように構成され、例えば大容量の充電可能なバッテリーを備えて、このバッテリーを充電すると共に第１及び第２の光増幅器に動作電力を供給する交流―直流変換部を設け、この交流―直流変換部を第１及び第２の光増幅器の近傍にある商用交流電源に接続し、交流―直流変換部が動作電力を供給しているか否かを検出部で検出し、この検出部が動作電力を供給していないことを検出したとき、バッテリーから第１及び第２の光増幅器に動作電力を供給するように構成する。
【００３０】
上記の実施形態では、直流電源１２をヘッドアンプ２０内に設けたが、これをヘッドアンプ２０の外部に設け、同様に直流電源１６を送信機２４内に設けたが、これを送信機２４の外部に設けることもできる。
【００３１】
上記の実施形態では、ヘッドアンプ２、２０は受信アンテナ４、２２によって地上デジタルテレビジョン放送信号を受信したが、これに代えて、共同受信システムから地上デジタルテレビジョン放送信号の供給を受けることもできる。また、ヘッドアンプ２０、送信機２４によって少なくとも１波の地上デジタルテレビジョン放送信号を再送信したが、複数波の地上デジタルテレビジョン放送信号を再送信することも可能である。なお、受信アンテナ４、ヘッドアンプ２、光ファイバーケーブル６、送信機８及び送信アンテナ１０による再送信システムを新たに敷設する際に、同時にヘッドアンプ２０、受信アンテナ２２、送信機２４及び送信アンテナ２６を敷設することもできるし、上述した再送信システムが既設の状態で、ヘッドアンプ２０、受信アンテナ２２、送信機２４及び送信アンテナ２６を敷設することもできる。
【符号の説明】
【００３２】
２  ヘッドアンプ（第１の処理装置）
６ａ  ６ｂ  光ファイバー（伝送路）
８  送信機（第１の送信装置）
１２  直流電源（第１の電源装置）
１４  １８  商用交流電源
１６  直流電源（第２の電源装置）
２０  ヘッドアンプ（第２の処理装置）
２４  送信機（第２の送信装置）
４０  充電バッテリー（第１の蓄電手段）
４８  充電バッテリー（第２の蓄電手段）
【図１】
2014107579.tif 000003
【図２】
2014107579.tif 000004
【図３】
2014107579.tif 000005